(57)【要約】【課題】  愛玩動物の美容及びお風呂の台を提供する。【解決手段】  本発明は、愛玩動物の美容及びお風呂の台に係り、更に詳しくは、愛玩動物をお風呂に入れたり、美容を行ったりするとき、腹側を多種多様に固定し得る固定台を開発して姿勢を安定化させて動かない姿勢でお風呂に入れたり美容を行ったりすることを可能にし、お風呂を終えた後にドライまで完了することができ、また、本発明は、愛玩動物をお風呂に入れるに当たって、耳に水が入らないようにしてお風呂に入れることができ、更に、本発明は、固定台に結束台を設けて、結束台のブラケットに蝶合して開閉動作する押圧板を設けることにより、腹は固定台に、押圧板は愛玩動物の尻側を軽く押圧して固定することにより、更なる安全を担保することのできる愛玩動物の美容及びお風呂の台に関する。【選択図】    図１
2019216700.tif 000002
【特許請求の範囲】
【請求項１】
愛玩動物の上体を包容するように支持台（２００）に設けられて愛玩動物の身体を固定する「Ｕ」状の固定台（１００）と、
前記「Ｕ」状の固定台（１００）を支持する支持台（２００）と、
前記支持台（２００）の下端に設けられて前記支持台（２００）を所定の位置に固定する取付台（３００）と、
愛玩動物の耳の外面に覆い被せる耳保護パッド（４００）と、
を備えてなり、
「Ｕ」状の固定台（１００）は、凹部の中央から両側の固定台と直角となる方向に突出されるように補助支持台（１００ａ）を設けて補助支持台（１００ａ）の外側端を固定台に向かって上向き折り曲げた上向き突出部（１００ｂ）を備え、「Ｕ」状の固定台（１００）と接続される補助支持台（１００ａ）の連結部に回転装置（１１０）を設けて上向き突出部（１００ｂ）を上下に回転させ得るようにしたことを特徴とする愛玩動物の美容及びお風呂の台。
【請求項２】
前記支持台（２００）は、
前記「Ｕ」状の固定台（１００）に連結され、周壁には長手方向に固定溝（２１１）が所定の間隔をあけて形成される可動部（２１０）と、
周壁の一側には穴（２２１）を形成し、下端は取付台（３００）に固定され、上端には可動部（２１０）の下端を収容し、可動部（２１０）が上下に昇降可能になる固定部（２２０）と、
前記固定部（２２０）の穴（２２１）の外側に装備され、内側面に形成した固定突起（２３１）が前記可動部（２１０）の固定溝（２１１）に係合する調整板（２３０）と、
前記固定部（２２０）の穴（２２１）の外側に形成した支持片（２４０）と、
カム突起（２５１）が形成された一端を前記支持片（２４０）の間に軸ピン（２４１）で蝶合する作動レバー（２５０）と、
を備え、
前記作動レバー（２５０）を作動させる動作に従って、カム突起（２５１）が前記調整板（２３０）を加圧し且つ解放させ得るようにしたことを特徴とする請求項１に記載の愛玩動物の美容及びお風呂の台。
【請求項３】
前記取付台（３００）は、
下端に凹溝（３１１）が形成され、前記凹溝（３１１）にゴム摩擦板（３２０）が設けられ、上面の一側には前記支持台（２００）の下端が固定される取付板（３１０）と、
前記ゴム摩擦板（３２０）の内部に埋め込まれる補強支持板（３３０）と、
前記補強支持板（３３０）の中心部から上側に向かって突設される連結棒（３４０）と、
前記取付板（３１０）の上側に突出される前記連結棒（３４０）の端部に連結ピン（３４１）により蝶合され、連結ピン（３４１）を中心として回転するとき、作動突起（３５１ａ）の作動で前記ゴム摩擦板（３２０）を強制的に昇降させる作動取っ手（３５０）と、
を備えてなることを特徴とする請求項１に記載の愛玩動物の美容及びお風呂の台。
【請求項４】
「Ｕ」状の固定台（１００）は、上部側に設けられて「Ｕ」状の固定台（１００）に向かって接離する加圧具（１０２）を備えることを特徴とする請求項１に記載の愛玩動物の美容及びお風呂の台。
【請求項５】
「Ｕ」状の固定台（１００）は、両側の上端に開閉型固定台（１００ｃ）を軸棒（１００ｄ）で蝶着し、開閉固定台（１００ｃ）の両端において向かい合う結合部に磁石（１００ｅ）及び鉄板（１００ｆ）を取り付けて開閉させ得るようにしたことを特徴とする請求項１に記載の愛玩動物の美容及びお風呂の台。
【請求項６】
可動部（２１０）の上端を折り曲げて下方を向くようにし、
「Ｕ」状の固定台（１００）の一端は、可動部（２１０）の端部と連なるように連結し、「Ｕ」状の固定台（１００）の他端には、シャワー器（Ｓ）を据え置きするシャワー器据置溝（１０３）を形成し、
「Ｕ」状の固定台（１００）の表面に弾性体保護具（１２０）を被覆し、
「Ｕ」状の固定台（１００）の両端には、高さの異なる複数の固定突起（１２１）を形成して、両側の固定突起（１２１）の間に結束紐（１２２）を掛け渡すことを特徴とする請求項１に記載の愛玩動物の美容及びお風呂の台。
【請求項７】
請求項１に記載の、
支持台（２００）の固定部（２２０）を上下に引き離した後、上側固定部（２２０ａ）及び下側固定部（２２０ｂ）を着脱自在に結合し、
「Ｕ」状の固定台（１００）の一端には、結束台（５００）を設けて愛玩動物のなどを押圧して固定し、
前記結束台（５００）は、
一端は、「Ｕ」状の固定台（１００）の一端に嵌合し、他端には、美容やお風呂用の器具を据え置き可能な据置部（５１２）が形成され、中心部には押圧板（５２０）を開閉可能な開閉部（５１３）が形成されるブラケット（５１０）と、
ブラケット（５１０）の開閉部（５１３）に設けられて、愛玩動物の背を押圧するように開閉動作をし、下端にはヒンジフレーム（５２１）が突設されて開閉部（５１３）に蝶合される押圧板（５２０）と、
により構成されることを特徴とする請求項１に記載の愛玩動物の美容及びお風呂の台。
【請求項８】
「Ｕ」状の固定台（１００）の両端には、中心部を中心として折り畳み可能なように折畳部（１３０）を形成し、
支持台（２００）の可動部（２１０）には、前後方向に角度の調節が行えるように第１の角度調節部（２７０）を形成して、まるで関節のように折り曲げられるようにし、
支持台（２００）の上側固定部（２２０ａ）には、前後方向に角度の調節が行えるように第２の角度調節部（２８０）を形成して、まるで関節のように折り曲げられるようにしたことを特徴とする請求項７に記載の愛玩動物の美容及びお風呂の台。
【請求項９】
支持台（２００）の下側固定部（２２０ｂ）の下端には、受け台（６００）を横方向に設け、受け台（６００）の両端に、取付台（３００）をそれぞれ設けることを特徴とする請求項７又は８に記載の愛玩動物の美容及びお風呂の台。
【請求項１０】
支持台（２００）の固定部（２２０）が装備された取付台（３００）を両側に所定の間隔を有するように並べて配置し、
「Ｕ」状の固定台（１００）の両端を両側の上側固定部（２２０ａ）にそれぞれ結合することを特徴とする請求項７に記載の愛玩動物の美容及びお風呂の台。
【請求項１１】
一側の支持台（２００）の上側固定部（２２０ａ）の上端には、結束台（５００）を設けて、愛玩動物の尻側を押圧して固定することを特徴とする請求項１０に記載の愛玩動物の美容及びお風呂の台。
【請求項１２】
支持台（２００）の上側固定部（２２０ａ）の一側には、突出部（２２０ｃ）を側方に突設させ、
突出部（２２０ｃ）に「Ｔ」字状のブラケット（５１０）を装着し、
一対の「Ｕ」状の固定台（１００）を「Ｔ」字状のブラケット（５１０）の外側端に前後方向に所定の間隔を有するように並べて配設するが、「Ｕ」状の固定台（１００）の一端が「Ｔ」字状のブラケット（５１０）の外側端に蝶合して前後方向に回転可能なように設けられることを特徴とする請求項７に記載の愛玩動物の美容及びお風呂の台。
【発明の詳細な説明】
【技術分野】
【０００１】
本発明は、愛玩動物の美容及びお風呂の台に係り、更に詳しくは、愛玩動物をお風呂に入れたり、美容を行ったりするとき、腹側を多種多様に固定し得る固定台を開発して姿勢を安定化させて動かない姿勢でお風呂に入れたり美容を行ったりすることを可能にし、お風呂を終えた後にドライまで完了することのできる愛玩動物の美容及びお風呂の台に関する。
【０００２】
また、本発明は、愛玩動物をお風呂に入れるに当たって、耳に水が入らないようにしてお風呂に入れることのできる愛玩動物の美容及びお風呂の台に関する。
【０００３】
更に、本発明は、固定台に結束台を設けて、結束台のブラケットに蝶合して開閉動作する押圧板を設けることにより、腹は固定台に、押圧板は愛玩動物の尻側を軽く押圧して固定することにより、更なる安全を担保することのできる愛玩動物の美容及びお風呂の台に関する。
【背景技術】
【０００４】
犬や猫などの愛玩動物の身体には毛があり、塵埃やダニなどの害虫が侵犯し易く、且つ、身体から抜ける毛が空気中に浮遊していて、人間の呼吸器に入ることが懸念されるため、頻繁にお風呂に入れて清浄に維持することが重要である。
【０００５】
特に、愛玩動物のお風呂の入れ方は、個人ごとに僅かに異なるものの、ほとんどの場合、 愛玩動物の身体に水を散布させてぬらした後、せっけんを塗ってすすぐ過程を有する。しかしながら、普通、愛玩動物は、お風呂に入っている間におとなしくしていることができず、浴槽から出るために手足をばたつかせたり、自分の身体についた水気を取り除くために身震いしたりして四方に水が飛散するため、お風呂に入れるに当たってかなりの注意が必要であり、愛玩動物が水やせっけん水をつけた状態で身震いすると、お風呂に入れる人はもとより、周りもまた汚れてしまう。
【０００６】
この理由から、愛玩動物をお風呂に入れるためには、愛玩動物の身体を縛ったり持ち上げたりして据え置き台に固定することを余儀なくされるため大変な苦労をし、本願の出願人が美容及びお風呂を「∨」字状の溝に愛玩動物の腹側を固定する据え置き台を開発している。
【先行技術文献】
【特許文献】
【０００７】
【特許文献１】大韓民国特許公開公第１０−２０１５−０１１０２２２号公報
【特許文献２】大韓民国特許第１０−１８０１２１２号公報
【発明の概要】
【発明が解決しようとする課題】
【０００８】
本発明の目的は、愛玩動物をお風呂に入れたり、美容を行ったりするとき、腹側を多種多様に固定し得る固定台を開発して姿勢を安定化させて動かない姿勢でお風呂に入れたり美容を行ったりすることを可能にし、お風呂を終えた後にドライまで完了することのできる愛玩動物の美容及びお風呂の台を提供することである。
【０００９】
また、本発明の目的は、愛玩動物をお風呂に入れるに当たって、耳に水が入らないようにしてお風呂に入れることのできる愛玩動物の美容及びお風呂の台を提供することである。
【００１０】
更に、本発明の目的は、固定台に結束台を設けて、結束台のブラケットに蝶合して開閉動作する押圧板を設けることにより、腹は固定台に、押圧板は愛玩動物の尻側を軽く押圧して固定することにより、更なる安全を担保することのできる愛玩動物の美容及びお風呂の台を提供することである。
【００１１】
更にまた、本発明の目的は、「Ｕ」状の固定台（但し、Ｕは、図３２に示すような形状をいう。以下、同様である。）に折畳部を形成し、支持台の可動部及び固定部を前後方向への角度調節が行えるように構成することにより、使い勝手をよくした愛玩動物の美容及びお風呂の台を提供することである。
【００１２】
本発明が解決しようとする課題は、上述した課題に何等制限されるものではない。なお、未言及の他の技術的課題は、以下の記載から本発明が属する技術分野において通常の知識を有する者にとって明らかに理解できる筈である。
【課題を解決するための手段】
【００１３】
上述した目的を達成するために、本発明は、愛玩動物の上体を包容するように支持台２００に設けられて愛玩動物の身体を固定する「Ｕ」状の固定台１００と、前記「Ｕ」状の固定台１００を支持する支持台２００と、前記支持台２００の下端に設けられて前記支持台２００を所定の位置に固定する取付台３００と、愛玩動物の耳の外面に覆い被せる耳保護パッド４００と、を備えてなり、「Ｕ」状の固定台１００は、凹部の中央から両側の固定台と直角となる方向に突出されるように補助支持台１００ａを設けて補助支持台１００ａの外側端を固定台に向かって上向き折り曲げた上向き突出部１００ｂを備え、「Ｕ」状の固定台１００と接続される補助支持台１００ａの連結部に回転装置１１０を設けて上向き突出部１００ｂを上下に回転させ得るようにしたことを特徴としている。
【発明の効果】
【００１４】
このような構成を有する本発明に係る愛玩動物の美容及びお風呂の台は、美容又はお風呂の際に愛玩動物の上体を固定台に結合して「Ｕ」状の溝に腹部が包容されて愛玩動物に楽な姿勢を維持させることにより、愛玩動物が安定を求めて手足をばたつかせたり、周りを牽制したり、身震いしたり、動いたりすることを防いで落ち着いた姿勢でお風呂に入れたり美容を行ったりし、お風呂の仕上げ及び美容を行うことができて便利であり、且つ、お風呂に入れるときに周りに水が飛散する虞がなく、お風呂を終えた後にドライまで完了することができるというメリットがある。
【００１５】
また、本発明は、固定台を浴室又は浴槽の底面に固定することができて便利であり、固定台の高低を調整して愛玩動物の身体条件に合わせることができるというメリットがある。
【００１６】
更に、本発明は、固定台に様々な姿勢で愛玩動物を固定することができ、耳保護パッドがあるためお風呂に入れるときに耳に水が入ることを防止し、「Ｕ」状の固定台に補助支持台を設けると、尻側を固定し易いため愛玩動物をより効果的に安定化させることができるというメリットがある。
【００１７】
更にまた、本発明は、固定台に設けられた補助支持台を回転式に構成して愛玩動物を固定台に固定し易いというメリットがある。
【００１８】
更にまた、本発明は、固定台に結束台を設けて結束台のブラケットに蝶合して開閉動作する押圧板を設けることにより、腹は固定台に、押圧板は愛玩動物の尻側を軽く押圧して固定することにより、更なる安全が担保されるという効果がある。
【００１９】
加えて、本発明は、「Ｕ」状の固定台に折畳部を形成し、支持台の可動部及び固定部を前後方向への角度調節が行えるように構成することにより、使い勝手がよくなるというメリットがある。
【図面の簡単な説明】
【００２０】
【図１】本発明の一実施形態に係る斜視図である。
【図２】本発明の一実施形態に係る斜視図である。
【図３】図１の側面断面図である。
【図４】本発明の一実施形態に係る耳保護パッドを示す正面図である。
【図５】本発明の他の実施形態に係る斜視図である。
【図６】本発明の更に他の実施形態に係る正面図である。
【図７】本発明の更に他の実施形態に係る斜視図である。
【図８】図７の使用状態図である。
【図９】本発明の更に他の実施形態に係る斜視図である。
【図１０】図９の側面図である。
【図１１】図９の正面図である。
【図１２】図９のＡ−Ａ’線に沿った断面図である。
【図１３】図９の結束台を示す図である。
【図１４】図１３のＢ−Ｂ’線に沿った断面図である。
【図１５】図１３の側面図である。
【図１６】図９の使用状態図である。
【図１７】図９の支持台の下端に一対の取付台を設けた様子を示す斜視図である。
【図１８】本発明の更に他の実施形態に係る斜視図である。
【図１９】図１８の側面図である。
【図２０】図１８の正面図である。
【図２１】図１８のＣ−Ｃ’線に沿った断面図である。
【図２２】図１８の使用状態図である。
【図２３】図１８の使用状態図である。
【図２４】図１８の支持台の下端に一対の取付台を設けた様子を示す斜視図である。
【図２５】本発明の更に他の実施形態に係る斜視図である。
【図２６】図２５の使用状態図である。
【図２７】図２５に結束台を装着した様子を示す斜視図である。
【図２８】図２５に結束台を装着した様子を示す斜視図である。
【図２９】本発明の更に他の実施形態に係る斜視図である。
【図３０】本発明の更に他の実施形態に係る斜視図である。
【図３１】図３０の使用状態図である。
【図３２】明細書中の「Ｕ」状の固定台を示す図である。
【発明を実施するための形態】
【００２１】
以下、添付図面に基づいて、本発明を詳述する。
【００２２】
添付図中、同じ構成要素に対しては、できる限りどの図面においても同じ符号を付し、本発明の要旨を余計に曖昧にする虞がある公知の機能又は公知の構成についての詳細な説明は省略した。
【００２３】
添付の図１乃至図４に示すように、本発明に係る愛玩動物の美容及びお風呂の台は、「Ｕ」状の固定台１００と、支持台２００と、取付台３００と、耳保護パッド４００及び補助支持台１００ａを備えてなる。
【００２４】
「Ｕ」状の固定台１００は、愛玩動物の身体を固定できるように支持台２００に設けられ、愛玩動物の上体又は後脚側に結合される。
【００２５】
本発明の「Ｕ」状の固定台１００には、愛玩動物の腹側が位置するように脇部に結合すれば、愛玩動物の姿勢を安定化させて動かない姿勢でお風呂に入れたり美容を行ったりすることができ、お風呂を終えた後にドライまで完了することができる。
【００２６】
支持台２００は、「Ｕ」状の固定台１００の一端から下向きに設けられ、上下方向に長さ調節が行えるように構成される。
【００２７】
このために、前記支持台２００は、可動部２１０と、固定部２２０と、調整板２３０と、支持片２４０及び作動レバー２５０を備えてなる。
【００２８】
可動部２１０は、「Ｕ」状の固定台１００から下に向かって形成される。
可動部２１０の周壁には、長手方向に所定の間隔をあけて固定溝２１１が形成される。
【００２９】
固定部２２０は、上端部の一側に穴２２１を形成し、下端は取付板３１０の上面の一側に固定される。
固定部２２０の上端には、可動部２１０の下端が嵌め込まれて上下に昇降可能になる。
【００３０】
調整板２３０は、前記固定部２２０の穴２２１の外側に装備され、内側面には固定突起２３１が形成される。
調整板２３０の内側面に形成された固定突起２３１は、固定部２２０の穴２２１に嵌入して可動部２１０の固定溝２１１に係合する。
【００３１】
支持片２４０は、前記固定部２２０の上端に嵌め込まれた管体２４０ａの周壁において固定部の穴２２１の外側方に並ぶように形成される。
支持片２４０には、作動レバー２５０が装備される。
【００３２】
作動レバー２５０の一端には、カム突起２５１が形成される。カム突起２５１が形成された作動レバー２５０の一端は、支持片２４０の間において軸ピン２４１により蝶合する。これにより、作動レバー２５０を作動させる動作に従い、カム突起２５１が調整板２３０を加圧し且つ解放することが可能になる。
【００３３】
取付台３００は、支持台２００の固定部２２０の下端に装備されて支持台２００を所定の位置に取り付ける。
【００３４】
このために、前記取付台３００は、取付板３１０と、ゴム摩擦板３２０と、補強支持板３３０と、連結棒３４０及び作動取っ手３５０を備えてなる。
【００３５】
取付板３１０は、下端に凹溝３１１が形成され、凹溝３１１にゴム摩擦板３２０が設けられる。取付板３１０の上端には、作動取っ手３５０の一端が設けられる取設溝３１３が形成される。取付板３１０の上面の一側には、支持台の固定部２２０の下端が固定される。
【００３６】
補強支持板３３０は、ゴム摩擦板３２０の内部に埋め込まれる。
連結棒３４０は、補強支持板３３０の中心部から上側に向かって突設され、連結棒３４０の上端は、取付板３１０の中心案内孔３１２を通過して上側に突出される。なお、取付板３１０の凹溝３１１の内部の連結棒３４０には、コイルバネ３４２が介装される。前記コイルバネ３４２は、ゴム摩擦板３２０の中心部が上昇した後に再び元の位置に戻るときに役立つ。
【００３７】
作動取っ手３５０の一端には、作動突起３５１ａが形成される作動突起部３５１を形成する。作動取っ手３５０の作動突起部３５１は、取付板３１０の取設溝３１３の上側に突出される連結棒３４０の端部に連結ピン３４１により蝶合する。
【００３８】
作動取っ手３５０は、連結ピン３４１を中心として回転作動すれば、作動突起３５１ａが取付板３１０の上面を押圧作動又は押圧解除作動するように構成されて連結棒３４０を上下に移動させるため、ゴム摩擦板３２０の中心部を強制的に昇降させることになる。なお、ゴム摩擦板３２０の中心部が強制的に昇降すれば、ゴム摩擦板３２０が地面に取り付けられたり取り外されたりする。
【００３９】
取付板３１０は、地面又は浴槽の底面にゴム摩擦板３２０を接触させる方法で固定し、ゴム摩擦板３２０を弛ませて取り外す。
【００４０】
また、本発明は、愛玩動物の頭部に覆い被せられて耳に水が入ることを防止する耳保護パッド４００を備える。
【００４１】
耳保護パッド４００は、耳カバー４０３、４０４の上端部に伸縮バンド４０５を連結し、下端の開放部に開閉用バンド４０６、４０７を連結して、結合具４０６ａ、４０７ａで分離し且つ結合し、結合具は、スナップボタン、磁石、面ファスナーのうちから選ばれる。
【００４２】
更に、本発明の「Ｕ」状の固定台１００は、支持台２００の上端において開放部が上向きになるように設けられてもよい。
【００４３】
このときには、「Ｕ」状の固定台１００は、凹部の中央から両側の固定台と直角となる方向に突出されるように補助支持台１００ａを設けて、補助支持台１００ａの外側端を固定台に向かって上向き折り曲げた上向き突出部１００ｂを備え、「Ｕ」状の固定台１００と接続される補助支持台１００ａの連結部に回転装置１１０を設けて、上向き突出部１００ｂを上下に回転させ得るように構成してもよい。
【００４４】
上述した本発明の使用例について説明すれば、本発明は、取付台３００を地面又は浴槽の底面に固定した後、愛玩動物の腹側を「Ｕ」状の固定台１００の溝部に据え置きする。
【００４５】
また、補助支持台１００ａを回転装置１１０を用いて回転させて愛玩動物の尻側を支持して、愛玩動物が左右に動かないようにして楽な状態にする。
【００４６】
このとき、愛玩動物の体格の大きさ及び耳に応じて支持台２００の上下の長さを調節して、愛玩動物がくつろげる高さに支持台２００の全体の長さを調節する。
【００４７】
しかる後、愛玩動物が安定的に据え置きされて固定された状態で愛玩動物の美容を行ったりお風呂に入れたりすることができる。
【００４８】
一方、図５を参照すると、「Ｕ」状の固定台１００は、支持台２００から側方に突出杆１０１を形成して、突出杆の端部から凹溝の開放部が上向きになるように「Ｕ」状の固定台１００を形成し、その上部に位置が昇降する加圧具１０２を更に装備してもよい。
【００４９】
一方、図６を参照すると、本発明は、「Ｕ」状の固定台１００の両側の上端に開閉型固定台１００ｃを軸棒１００ｄで蝶着し、開閉型固定台の両端部を向かい合うように折り曲げて対向する面に磁石１００ｅ及び鉄板１００ｆを配置して磁石の結合力で開閉することを含む。
【００５０】
一方、図７及び図８を参照すると、本発明は、可動部２１０の上端を折り曲げて下方を向くようにし、「Ｕ」状の固定台１００の一端は可動部の端部と連なるように連結し、「Ｕ」状の固定台１００の他端にはシャワー器Ｓを据え置きするシャワー器据置溝１０３を形成し、「Ｕ」状の固定台１００の表面に弾性体保護具１２０を被覆し、「Ｕ」状の固定台１００の両端には高さが異なる複数の固定突起１２１を形成して、両側の固定突起１２１の間に結束紐１２２を掛け渡すように構成してもよい。
【００５１】
一方、図９乃至図１６を参照すると、本発明は、支持台２００の固定部２２０を上下に引き離した後、上側固定部２２０ａ及び下側固定部２２０ｂを着脱自在に結合してもよい。このとき、上側固定部２２０ａ及び下側固定部２２０ｂ間の結合は、下側固定部２２０ｂの一側面に形成される支持片２４０に作動レバー２５０を蝶合させて作動レバー２５０のカム突起２５１により結合及び結合解除を行うことができる。
【００５２】
「Ｕ」状の固定台１００の一端には、結束台５００を設けて、愛玩動物の尻側を軽く押圧して固定して更に安定感を与えることができる。
このために、結束台５００は、ブラケット５１０及び押圧板５２０を備えてなる。
【００５３】
ブラケット５１０の一端には、短管状の嵌合部５１１が形成されて、「Ｕ」状の固定台１００の一端に嵌合する。ブラケット５１０の他端には、外側に開放される据置部５１２が形成されて、美容やお風呂用の器具を据え置きすることができる。ブラケット５１０の中心部には、開閉部５１３が形成されて、押圧板５２０が蝶合する。ブラケット５１０の開閉部５１３の内側面には、垂直係止爪５１３ａ及び水平係止爪５１３ｂが形成される。
【００５４】
押圧板５２０は、下端に一対のヒンジフレーム５２１が平行に突設され、押圧板５２０のヒンジフレーム５２１の下端は、ブラケット５１０の開閉部５１３の下端に蝶合してヒンジ部を中心として押圧板５２０を垂直方向に立てたり、水平方向に下げたりすることが可能になる。このとき、押圧板５２０のヒンジフレーム５２１は、立てられた場合には、ブラケット５１０の開閉部５１３の垂直係止爪５１３ａに引っかかって固定され、水平に下げた場合には、ブラケット５１０の開閉部５１３の水平係止爪５１３ｂに引っかかって固定される。
【００５５】
押圧板５２０は、愛玩動物の尻側を押圧して固定するため、愛玩動物が動かない状態で楽に美容を行ったり又はお風呂に入れたりすることができる。
【００５６】
また、図１７を参照すると、支持台２００の下側固定部２２０ｂの下端には、受け台６００を横方向に設け、受け台６００の両端に取付台３００をそれぞれ設けることにより、地面に取付台３００及び支持台２００をなお一層強固に固定することができるという効果が奏される。
【００５７】
更に、図１８乃至図２３を参照すると、本発明の「Ｕ」状の固定台１００の両端には、凹状の中心部を中心として折り畳み可能なように折畳部１３０を形成してもよい。
【００５８】
支持台２００の可動部２１０には、前後方向への角度調節が行えるように第１の角度調節部２７０を形成して、まるで関節のように折り曲げられるようにする。第１の角度調節部２７０により「Ｕ」状の固定台１００の垂直方向及び水平方向への角度調節を行うことが可能になる。
【００５９】
支持台２００の上側固定部２２０ａには、前後方向への角度調節が行えるように第２の角度調節部２８０を形成して、まるで関節のように折り曲げられるようにする。第２の角度調節部により支持台２００の上部の垂直方向及び水平方向への角度調節を行うことが可能になる。第１及び第２の角度調節部２８０は、公知の構成を採用してもよい。
【００６０】
更に、図２４を参照すると、支持台２００の下側固定部２２０ｂの下端には、受け台６００を横方向に設け、受け台６００の両端に取付台３００をそれぞれ設けることにより、地面に取付台３００及び支持台２００をなお一層強固に固定することができるという効果が奏される。
【００６１】
一方、図２５及び図２６を参照すると、本発明は、支持台２００の固定部２２０が装備された取付台３００を両側に所定の間隔を有するように並べて配置し、「Ｕ」状の固定台１００の両端を側方に延ばして突出杆１０６を形成し、「Ｕ」状の固定台１００の両側突出杆を両側の上側固定部２００ａにそれぞれ結合してもよい。
【００６２】
このとき、図２７及び図２８を参照すると、一側の支持台２００の上側固定部２２０ａの上端には、結束台５００を設けて、愛玩動物のなどを押圧して固定することができる。
【００６３】
また、図２９乃至図３１を参照すると、本発明は、支持台２００の上側固定部２２０ａの一側には、突出部２２０ｃを側方に突設させ、突出部２２０ｃに「Ｔ」字状のブラケット５１０を装着してもよい。なお、一対の「Ｕ」状の固定台１００を「Ｔ」字状のブラケット５１０の外側端に前後方向に所定の間隔を有するように並べて配設するが、「Ｕ」状の固定台１００の一端を側方に延ばして突出杆１０７を形成し、「Ｕ」状の固定台１００の突出杆１０７を「Ｔ」字状のブラケット５１０の外側端に蝶合させて前後方向に回転可能なように設けてもよい。これにより、前後の「Ｕ」状の固定台１００の外側端を愛玩動物の腹側において拡開させることにより、愛玩動物が動かないように固定した状態で楽に美容を行ったりお風呂に入れたりすることが可能になる。
【００６４】
以上では、本発明の好適な実施形態について説示したが、本発明は、上述した特定の実施形態に何等限定されるものではなく、特許請求の範囲において請求する本発明の要旨を逸脱することなく、当該発明が属する技術分野において通常の知識を有する者により様々な変形実施や応用が行えることはもちろんのこと、このような変形実施や応用例は、本発明の技術的思想や見込みから個別的に理解されてはならない筈である。 
【符号の説明】
【００６５】
１００  「Ｕ」状の固定台                         
１００ａ  補助支持台   
１００ｂ  上向き延在部                           
１００ｃ  開閉型固定台
１００ｄ  軸棒                                   
１００ｅ  磁石
１００ｆ  鉄板                                   
１０２  加圧具
１０３  据置溝                            
１０６、１０７  突出杆
１１０  回転装置                          
１２０  弾性体保護具
１２１  固定突起                          
１２２  結束紐
１３０  折畳部                            
２００  支持台
２１０  可動部                            
２１１  固定溝
２２０  固定部                            
２２０ａ  上側固定部
２２０ｂ  下側固定部                      
２２１  穴
２３０  調整板                      
２３１  固定突起
２４０  支持片                            
２５０  作動レバー
２５１  カム突起                          
２６０  取っ手ボルト
２７０  第１の角度調節部                         
２８０  第２の角度調節部
２９０  「Ｔ」字状のブラケット                         
３００  取付台
３１０  取付板                            
３１１  凹溝
３１２  中心案内孔                               
３２０  ゴム摩擦板
３３０  補強支持板                               
３４０  連結棒
３４１  連結ピン                          
３４２  コイルバネ
３５０  作動取っ手                               
３５１  作動突起部
３５１ａ  作動突起                               
４００  耳保護パッド
４０３、４０４  耳カバー                               
４０５  伸縮バンド
４０６、４０７  開閉用バンド                     
５００  結束台
５１０  ブラケット                               
５１１  嵌合部
５１２  据置部                            
５１３  開閉部
５２０  押圧板                            
５２１  ヒンジフレーム
６００  受け台
【図１】
2019216700.tif 000003
【図２】
2019216700.tif 000004
【図３】
2019216700.tif 000005
【図４】
2019216700.tif 000006
【図５】
2019216700.tif 000007
【図６】
2019216700.tif 000008
【図７】
2019216700.tif 000009
【図８】
2019216700.tif 000010
【図９】
2019216700.tif 000011
【図１０】
2019216700.tif 000012
【図１１】
2019216700.tif 000013
【図１２】
2019216700.tif 000014
【図１３】
2019216700.tif 000015
【図１４】
2019216700.tif 000016
【図１５】
2019216700.tif 000017
【図１６】
2019216700.tif 000018
【図１７】
2019216700.tif 000019
【図１８】
2019216700.tif 000020
【図１９】
2019216700.tif 000021
【図２０】
2019216700.tif 000022
【図２１】
2019216700.tif 000023
【図２２】
2019216700.tif 000024
【図２３】
2019216700.tif 000025
【図２４】
2019216700.tif 000026
【図２５】
2019216700.tif 000027
【図２６】
2019216700.tif 000028
【図２７】
2019216700.tif 000029
【図２８】
2019216700.tif 000030
【図２９】
2019216700.tif 000031
【図３０】
2019216700.tif 000032
【図３１】
2019216700.tif 000033
【図３２】
2019216700.tif 000034